(57)【要約】【課題】犬猫等のペットの顔の毛を切る時、ペットの顔とペット用顔毛切り道具を常に一定距離にし、安全な位置でペット用顔毛切り道具を使用できるようにする。【解決の手段】犬猫等のペットの顔の毛を切るペット用顔毛切りで、上下両刃体Ａ，Ｂに刃先Ｋ，Ｌを相対向させて形成し、上下両刃体Ａ，Ｂの刃先Ｋ，Ｌとペットの顔の距離を調整するため、ペットの顔に接する部材Ｎを部材Ｃの先端に取り付け、ペットの顔に接する部材Ｎが上下両刃体Ａ，Ｂの刃先Ｋ，Ｌより出て部材Ｃを上下両刃体Ａ，Ｂに取り付け、上下両刃体Ａ，Ｂの刃先Ｋ，Ｌとペットの顔に接する部材Ｎとの距離を一定にするための部材Ｃが上下両刃体Ａ，Ｂに固定して取り付けられた、又は上下両刃体Ａ，Ｂの刃先Ｋ，Ｌとペットの顔に接する部材Ｎとの距離を変えることができる部材Ｃが上下両刃体Ａ，Ｂに取り付けられた、以上のことを特徴とするペット用顔毛切り。【選択図】    図１
2004187657.tif 000002
【特許請求の範囲】
【請求項１】
犬猫等のペットの顔の毛を切るペット用顔毛切りで、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、又は下刃体Ａと上刃体Ｂの接続点Ｍから見て上下両刃体Ａ，Ｂの刃先Ｋ，Ｌは外側に中央が出っ張ったＶ字の形をし、又は下刃体Ａと上刃体Ｂの接続点Ｍから見て上下両刃体Ａ，Ｂの刃先Ｋ，Ｌは直線の形をし、上下両刃体Ａ，Ｂに支持ピンＧを通し、支持ピンＧと下刃体Ａを接続して固定し、支持ピンＧが上刃体Ｂより上側に突き出た部分に横穴を開けてピンＨを通し、押圧操作レバーＦの片隅にピンＨを入れる穴を開け、ピンＨと押圧操作レバーＦを取り付け、押圧操作レバーＦを下側に力を加えることで上刃体Ｂの刃先Ｌが下がり、下刃体Ａの刃先Ｋと上刃体Ｂの刃先Ｌは接触して、下刃体Ａの刃先Ｋと上刃体Ｂの刃先Ｌの間にあるペットの顔の毛を切ることができ、下刃体Ａに雄ネジ加工したボルトＤを接続して取り付け、ボルトＤは下刃体Ａより下側に突き出て、上下両刃体Ａ，Ｂの刃先Ｋ，Ｌとペットの顔の距離を調整するため、上下両刃体Ａ，Ｂの刃先Ｋ，Ｌとペットの顔との距離を調整するための長い板部材Ｃを下刃体Ａの外側に取り付け、直方体等の長い板部材Ｃの中央付近に長手方向に溝Ｊを貫通して開け、長い板部材Ｃの片端にペットの顔に接する部材Ｎを取り付け、ペットの顔の毛を切る時はペットの顔に接する部材Ｎをペットの顔に接して使用し、長い板部材Ｃに貫通して開けた溝ＪにボルトＤを通し、下刃体Ａと長い板部材Ｃを接続して取り付け、長い板部材Ｃに貫通して開けた溝ＪをボルトＤが移動できるように取り付けて、ボルトＤが溝Ｊを移動することで、長い板部材Ｃの片端のペットの顔に接する部材Ｎと刃先Ｋ，Ｌの距離を変えて調整できるようにし、下刃体Ａ及び長い板部材Ｃより下側に突き出たボルトＤにナットＥを取り付け、ナットＥを締めることで下刃体Ａと長い板部材Ｃを固定する、以上のことを特徴とするペット用顔毛切り。
【請求項２】
犬猫等のペットの顔の毛を切るペット用顔毛切りで、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、又は下刃体Ａと上刃体Ｂの接続点Ｍから見て上下両刃体Ａ，Ｂの刃先Ｋ，Ｌは外側に中央が出っ張ったＶ字の形をし、又は下刃体Ａと上刃体Ｂの接続点Ｍから見て上下両刃体Ａ，Ｂの刃先Ｋ，Ｌは直線の形をし、上下両刃体Ａ，Ｂに支持ピンＧを通し、支持ピンＧと下刃体Ａを接続して固定し、支持ピンＧが上刃体Ｂより上側に突き出た部分に横穴を開けてピンＨを通し、押圧操作レバーＦの片隅にピンＨを入れる穴を開け、ピンＨと押圧操作レバーＦを取り付け、押圧操作レバーＦを下側に力を加えることで上刃体Ｂの刃先Ｌが下がり、下刃体Ａの刃先Ｋと上刃体Ｂの刃先Ｌは接触して、下刃体Ａの刃先Ｋと上刃体Ｂの刃先Ｌの間にあるペットの顔の毛を切ることができるようにし、上下両刃体Ａ，Ｂの刃先Ｋ，Ｌとペットの顔との距離を一定に調整するため、ペットの顔に接する部材Ｎを長い板部材Ｃの先端に取り付け、ペットの顔に接する部材Ｎが上下両刃体Ａ，Ｂの刃先Ｋ，Ｌより出て長い板部材Ｃを下刃体Ａに取り付け、上下両刃体Ａ，Ｂの刃先Ｋ，Ｌとペットの顔に接する部材Ｎとの距離を一定にするための長い板部材Ｃが下刃体Ａの外側に固定して取り付けられ、ペットの顔に接する部材Ｎは先端を丸めた円形又は楕円形で、ペットの顔の毛を切る時はペットの顔に接する部材Ｎをペットの顔に接して使用する、以上のことを特徴とするペット用顔毛切り。
【請求項３】
犬猫等のペットの顔の毛を切るペット用顔毛切りで、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、又は下刃体Ａと上刃体Ｂの接続点Ｍから見て上下両刃体Ａ，Ｂの刃先Ｋ，Ｌは外側に中央が出っ張ったＶ字の形をし、又は下刃体Ａと上刃体Ｂの接続点Ｍから見て上下両刃体Ａ，Ｂの刃先Ｋ，Ｌは直線の形をし、上下両刃体Ａ，Ｂの刃先Ｋ，Ｌとペットの顔の距離を調整するため、ペットの顔に接する部材Ｎを部材Ｃの先端に取り付け、ペットの顔に接する部材Ｎが上下両刃体Ａ，Ｂの刃先Ｋ，Ｌより出て部材Ｃを上下両刃体Ａ，Ｂに取り付け、上下両刃体Ａ，Ｂの刃先Ｋ，Ｌとペットの顔に接する部材Ｎとの距離を一定にするための部材Ｃが上下両刃体Ａ，Ｂに固定して取り付けられた、又は上下両刃体Ａ，Ｂの刃先Ｋ，Ｌとペットの顔に接する部材Ｎとの距離を変えることができる部材Ｃが上下両刃体Ａ，Ｂに取り付けられた、以上のことを特徴とするペット用顔毛切り。
【発明の詳細な説明】
【０００１】
【発明の属する技術分野】
犬猫等のペットの顔の毛を切るペット用顔毛切り道具の技術。
【０００２】
【従来の技術】
ハサミがペットの顔に固定できず、ハサミでペットの顔の毛を切る時、ペットが動いてしまい上手く毛を切れず、ペットの顔を傷つけてしまうことがある。
【０００３】
【発明が解決しようとする課題】
犬猫等のペットの顔の毛を切る時、ペットの顔とペット用顔毛切り道具を常に一定距離にし、安全な位置でペット用顔毛切り道具を使用できるようにする。
【０００４】
【課題を解決するための手段】
犬猫等のペットの顔の毛を切るペット用顔毛切りで、上下両刃体Ａ，Ｂに刃先Ｋ，Ｌを相対向させて形成し、上下両刃体Ａ，Ｂの刃先Ｋ，Ｌとペットの顔の距離を調整するため、ペットの顔に接する部材Ｎを部材Ｃの先端に取り付け、ペットの顔に接する部材Ｎが上下両刃体Ａ，Ｂの刃先Ｋ，Ｌより出て部材Ｃを上下両刃体Ａ，Ｂに取り付け、上下両刃体Ａ，Ｂの刃先Ｋ，Ｌとペットの顔に接する部材Ｎとの距離を一定にするための部材Ｃが上下両刃体Ａ，Ｂに固定して取り付けられた、又は上下両刃体Ａ，Ｂの刃先Ｋ，Ｌとペットの顔に接する部材Ｎとの距離を変えることができる部材Ｃが上下両刃体Ａ，Ｂに取り付けられた、以上のことを特徴とするペット用顔毛切り。
【０００５】
【発明の実施の形態】
犬猫等のペットの顔の毛を切るペット用顔毛切りで、上下両刃体Ａ，Ｂを金属等で造り、上下両刃体Ａ，Ｂの長さは２０．０ｍｍから１０００．０ｍｍで幅は３．０ｍｍから１００．０ｍｍで肉厚は０．２ｍｍから３０．０ｍｍ、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、又は下刃体Ａと上刃体Ｂの接続点Ｍから見て上下両刃体Ａ，Ｂの刃先Ｋ，Ｌは外側に中央が出っ張ったＶ字の形をし、又は下刃体Ａと上刃体Ｂの接続点Ｍから見て上下両刃体Ａ，Ｂの刃先Ｋ，Ｌは直線の形をし、上下両刃体Ａ，Ｂに金属等で造られた太さ０．５ｍｍら３０．０ｍｍの支持ピンＧを通し、支持ピンＧと下刃体Ａを接続して固定し、支持ピンＧが上刃体Ｂより上側に突き出た部分に横穴を開けて金属等で造られた太さ０．３ｍｍから２０．０ｍｍのピンＨを通し、押圧操作レバーＦの片隅にピンＨを入れる穴を開け、押圧操作レバーＦを金属等で造り長さは２０．０ｍｍから１０００．０ｍｍで幅は３．０ｍｍから１００．０ｍｍで肉厚は１．０ｍｍから６０．０ｍｍ、ピンＨと押圧操作レバーＦを取り付け、押圧操作レバーＦを下側に力を加えることで上刃体Ｂの刃先Ｌが下がり、下刃体Ａの刃先Ｋと上刃体Ｂの刃先Ｌは接触して、下刃体Ａの刃先Ｋと上刃体Ｂの刃先Ｌの間にあるペットの顔の毛を切ることができるようにし、下刃体Ａに雄ネジ加工した金属等で造られた太さ０．５ｍｍから３０．０ｍｍのボルトＤを接続して取り付け、ボルトＤは下刃体Ａより下側に突き出て、上下両刃体Ａ，Ｂの刃先Ｋ，Ｌとペットの顔との距離を調整するため、上下両刃体Ａ，Ｂの刃先Ｋ，Ｌとペットの顔の距離を変えるための長い板部材Ｃが下刃体Ａの外側に取り付けられ、金属又は高分子化合物で造られた幅は２．０ｍｍから８０．０ｍｍで長さは１０．０ｍｍから５００．０ｍｍの長い板部材Ｃの中央付近の長手方向に幅は０．５ｍｍから３０．０ｍｍで長さは１．０ｍｍから３００．０ｍｍの溝Ｊを貫通して開け、下刃体Ａの下側の長手方向に長い板部材Ｃを取り付ける溝を幅は２．２ｍｍから８２．０ｍｍで深さは０．１ｍｍから１０．０ｍｍで彫り、長い板部材Ｃの片端に金属又は高分子化合物で造られたペットの顔に接する部材Ｎを取り付け、ペットの顔に接する部材Ｎは先端を丸めた円形又は楕円形で、ペットの顔の毛を切る時はペットの顔に接する部材Ｎをペットの顔に接して使用し、長い板部材Ｃに貫通して開けた溝ＪにボルトＤを通し、下刃体Ａと長い板部材Ｃを接続して取り付け、長い板部材Ｃに貫通して開けた溝ＪをボルトＤが移動できるように取り付けて、ボルトＤが溝Ｊを移動することでペットの顔に接する部材Ｎと刃先Ｋ，Ｌとの距離を変えて調整できるようにし、下刃体Ａ及び長い板部材Ｃより下側に突き出たボルトＤに金属等で造られた厚さは０．２ｍｍから３０．０ｍｍで外径は１．０ｍｍから８０．０ｍｍのナットＥを取り付け、ナットＥを締めることで下刃体Ａと長い板部材Ｃを固定する、以上のことを特徴とするペット用顔毛切り。
【０００６】
犬猫等のペットの顔の毛を切るペット用顔毛切りで、上下両刃体Ａ，Ｂを金属等で造り、上下両刃体Ａ，Ｂの長さは２０．０ｍｍから１０００．０ｍｍで幅は３．０ｍｍから１００．０ｍｍで肉厚は０．２ｍｍから３０．０ｍｍ、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、又は下刃体Ａと上刃体Ｂの接続点Ｍから見て上下両刃体Ａ，Ｂの刃先Ｋ，Ｌは外側に中央が出っ張ったＶ字の形をし、又は下刃体Ａと上刃体Ｂの接続点Ｍから見て上下両刃体Ａ，Ｂの刃先Ｋ，Ｌは直線の形をし、上下両刃体Ａ，Ｂに金属等で造られた太さ０．５ｍｍから３０．０ｍｍの支持ピンＧを通し、支持ピンＧと下刃体Ａを接続して固定し、支持ピンＧが上刃体Ｂより上側に突き出た部分に横穴を開けて金属等で造られた太さ０．３ｍｍから２０．０ｍｍのピンＨを通し、押圧操作レバーＦの片隅にピンＨを入れる穴を開け、ピンＨと押圧操作レバーＦを取り付け、押圧操作レバーＦを金属等で造り長さは２０．０ｍｍから１０００．０ｍｍで幅は３．０ｍｍから１００．０ｍｍで肉厚は１．０ｍｍから６０．０ｍｍ、押圧操作レバーＦを下側に力を加えることで上刃体Ｂの刃先Ｌが下がり、下刃体Ａの刃先Ｋと上刃体Ｂの刃先Ｌは接触して、下刃体Ａの刃先Ｋと上刃体Ｂの刃先Ｌの間にあるペットの顔の毛を切ることができるようにし、上下両刃体Ａ，Ｂの刃先Ｋ，Ｌとペットの顔との距離を一定に調整するため、ペットの顔に接する部材Ｎを長い板部材Ｃの先端に取り付け、長い板部材Ｃは金属又は高分子化合物で造られた幅は２．０ｍｍから８０．０ｍｍで長さは１０．０ｍｍから４００．０ｍｍ、ペットの顔に接する部材Ｎは金属又は高分子化合物で造られ先端を丸めた円形又は楕円形で、ペットの顔に接する部材Ｎが上下両刃体Ａ，Ｂの刃先Ｋ，Ｌより出て長い板部材Ｃを下刃体Ａに取り付け、上下両刃体Ａ，Ｂの刃先Ｋ，Ｌとペットの顔に接する部材Ｎとの距離を一定にするための長い板部材Ｃが下刃体Ａの外側に固定して取り付けられ、ペットの顔の毛を切る時はペットの顔に接する部材Ｎをペットの顔に接して使用する、以上のことを特徴とするペット用顔毛切り。
【０００７】
犬猫等のペットの顔の毛を切るペット用顔毛切りで、上下両刃体Ａ，Ｂを金属等で造り、上下両刃体Ａ，Ｂの長さは２０．０ｍｍから１０００．０ｍｍで幅は３．０ｍｍから１００．０ｍｍで肉厚は０．２ｍｍから３０．０ｍｍ、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、又は下刃体Ａと上刃体Ｂの接続点Ｍから見て上下両刃体Ａ，Ｂの刃先Ｋ，Ｌは外側に中央が出っ張ったＶ字の形をし、又は下刃体Ａと上刃体Ｂの接続点Ｍから見て上下両刃体Ａ，Ｂの刃先Ｋ，Ｌは直線の形をし、上下両刃体Ａ，Ｂの刃先Ｋ，Ｌとペットの顔の距離を調整するため、ペットの顔に接する部材Ｎを部材Ｃの先端に取り付け、部材Ｃは金属又は高分子化合物で造られた幅は２．０ｍｍから８０．０ｍｍで長さは１０．０ｍｍから４００．０ｍｍ、ペットの顔に接する部材Ｎは金属又は高分子化合物で造られ先端を丸めた円形又は楕円形又は多角形で、ペットの顔に接する部材Ｎが上下両刃体Ａ，Ｂの刃先Ｋ，Ｌより出て部材Ｃを上下両刃体Ａ，Ｂに取り付け、上下両刃体Ａ，Ｂの刃先Ｋ，Ｌとペットの顔に接する部材Ｎとの距離を一定にするための部材Ｃが上下両刃体Ａ，Ｂに固定して取り付けられた、又は上下両刃体Ａ，Ｂの刃先Ｋ，Ｌとペットの顔に接する部材Ｎとの距離を変えることができる部材Ｃが上下両刃体Ａ，Ｂに取り付けられた、以上のことを特徴とするペット用顔毛切り。
【０００８】
【実施例】
図１のように、上下両刃体Ａ，Ｂを金属で造り、上下両刃体Ａ，Ｂの長さは７０．０ｍｍで幅は１５．０ｍｍで肉厚は２．５ｍｍ、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、上下両刃体Ａ，Ｂに金属で造られた太さ４．０ｍｍの支持ピンＧを通し、支持ピンＧと下刃体Ａを接続して固定し、支持ピンＧが上刃体Ｂより上側に突き出た部分に横穴を開けて金属で造られた太さ２．４ｍｍのピンＨを通し、押圧操作レバーＦの片隅にピンＨを入れる穴を開け、ピンＨと押圧操作レバーＦを取り付け、押圧操作レバーＦを金属等で造り長さは７０．０ｍｍで幅は１５．０ｍｍで肉厚は６．０ｍｍ、押圧操作レバーＦを下側に力を加えることで上刃体Ｂの刃先Ｌが下がり、下刃体Ａの刃先Ｋと上刃体Ｂの刃先Ｌは接触して、下刃体Ａの刃先Ｋと上刃体Ｂの刃先Ｌの間にあるペットの顔の毛を切ることができ、下刃体Ａに雄ネジ加工した金属で造られた太さ３．０ｍｍのボルトＤを接続して取り付け、ボルトＤは下刃体Ａより下側に突き出て、上下両刃体Ａ，Ｂの刃先Ｋ，Ｌとペットの顔との距離を変えるための直方体の長い板部材Ｃが下刃体Ａの外側に取り付けられ、幅は８．０ｍｍで長さは４０．０ｍｍで厚さは２．５ｍｍの金属で造られた直方体の長い板部材Ｃの中央付近の長手方向に幅は３．２ｍｍで長さは２０．０ｍｍの溝Ｊを貫通して開け、下刃体Ａの下側に長手方向に直方体の長い板部材Ｃを取り付ける溝を幅は８．２ｍｍで深さは１．０ｍｍで彫り、直方体の長い板部材Ｃの片端に金属で造られたペットの顔に接する部材Ｎを取り付け、ペットの顔に接する部材Ｎは先端を丸めた長軸は１３．０ｍｍで短軸は６．５ｍｍの楕円形で、直方体の長い板部材Ｃに貫通して開けた溝ＪにボルトＤを通し、下刃体Ａと直方体の長い板部材Ｃを接続して取り付け、直方体の長い板部材Ｃに貫通して開けた溝ＪをボルトＤが移動できるように取り付けて、ボルトＤが溝Ｊを移動することでペットの顔に接する部材Ｎと刃先Ｋ，Ｌとの距離は変えて調整できるようにし、下刃体Ａ及び直方体の長い板部材Ｃより下側に突き出たボルトＤに金属で造られた厚さは４．０ｍｍで外径は１２．０ｍｍのナットＥを取り付け、ナットＥを締めることで下刃体Ａと直方体の長い板部材Ｃを固定するペット用顔毛切り。
【０００９】
上下両刃体Ａ，Ｂを金属で造り、上下両刃体Ａ，Ｂの長さは７０．０ｍｍで幅は１５．０ｍｍで肉厚は２．５ｍｍ、上下両刃体Ａ，Ｂに刃先Ｋ，Ｌを相対向させて形成し、上下両刃体Ａ，Ｂを刃先Ｋ，Ｌの反対側で接続して取り付け接続点Ｍとし、下刃体Ａと上刃体Ｂの接続点Ｍから見て上下両刃体Ａ，Ｂの刃先Ｋ，Ｌは外側に中央が出っ張った円弧の形をし、上下両刃体Ａ，Ｂに金属で造られた太さ４．０ｍｍの支持ピンＧを通し、支持ピンＧと下刃体Ａを接続して固定し、支持ピンＧが上刃体Ｂより上側に突き出た部分に横穴を開けて金属で造られた太さ２．４ｍｍのピンＨを通し、押圧操作レバーＦを金属等で造り長さは７０．０ｍｍで幅は１５．０ｍｍで肉厚は６．０ｍｍ、押圧操作レバーＦの片隅にピンＨを入れる穴を開け、ピンＨと押圧操作レバーＦを取り付け、押圧操作レバーＦを下側に力を加えることで上刃体Ｂの刃先Ｌが下がり、下刃体Ａの刃先Ｋと上刃体Ｂの刃先Ｌは接触して、下刃体Ａの刃先Ｋと上刃体Ｂの刃先Ｌの間にあるペットの顔の毛を切ることができ、上下両刃体Ａ，Ｂの刃先Ｋ，Ｌとペットの顔との距離を一定に調整するため、ペットの顔に接する部材Ｎを長い板部材Ｃの先端に取り付け、長い板部材Ｃは金属で造られた幅は８．０ｍｍで長さは３０．０ｍｍ、ペットの顔に接する部材Ｎは金属で造られ先端を丸めた直径１２．０ｍｍの円形、ペットの顔に接する部材Ｎが上下両刃体Ａ，Ｂの刃先Ｋ，Ｌより出て長い板部材Ｃを下刃体Ａに取り付け、上下両刃体Ａ，Ｂの刃先Ｋ，Ｌとペットの顔に接する部材Ｎとの距離を一定にするための長い板部材Ｃが下刃体Ａの外側に固定して取り付けられ、以上のことを特徴とするペット用顔毛切り。
【００１０】
【発明の効果】
ペットの顔の毛切りが安全になる。
【図面の簡単な説明】
【図１】ペットの顔に接する部材Ｎを部材Ｃの先端に取り付け、ペットの顔に接する部材Ｎが上下両刃体Ａ，Ｂの刃先Ｋ，Ｌより出て部材Ｃを下刃体Ａに取り付け、上下両刃体Ａ，Ｂの刃先Ｋ，Ｌとペットの顔に接する部材Ｎとの距離を変えることができる部材Ｃが下刃体Ａに取り付けられた。
【図２】ペットの顔に接する部材Ｎを部材Ｃの先端に取り付け、ペットの顔に接する部材Ｎが上下両刃体Ａ，Ｂの刃先Ｋ，Ｌより出て部材Ｃを下刃体Ａに取り付け、上下両刃体Ａ，Ｂの刃先Ｋ，Ｌとペットの顔に接する部材Ｎとの距離を一定にするための部材Ｃが下刃体Ａに固定して取り付けられた。
【符号の説明】
Ａ：下刃体、  Ｂ：上刃体、  Ｃ：部材、  Ｄ：ボルト、  Ｅ：ナット、  Ｆ：押圧操作レバー、  Ｇ：支持ピン、  Ｈ：ピン、  Ｊ：溝、  Ｋ：下刃体Ａの刃先、  Ｌ：上刃体Ｂの刃先、  Ｍ：下刃体Ａと上刃体Ｂの接続点、  Ｎ：部材Ｃに取り付けたペットの顔に接する部材。
【図１】
2004187657.tif 000003
【図２】
2004187657.tif 000004